(57)【特許請求の範囲】
【請求項１】
複数の内室に仕切るための仕切り壁にベントホールが設けられたエアバッグであって、インフレータから遠い方の壁側に、インフレータから遠い方の内室が所定の内圧を超える場合にインフレータから遠い方の内室からインフレータに近い方の内室への通気が仕切り壁との隙間からなされる状態で、該ベントホール周囲に縫製糸により接合された該ベントホールを覆うベントホールカバーを有しているエアバッグ。
【請求項２】
該ベントホールカバーは、インフレータから近い方の内室が所定の内圧を超える場合には該ベントホールカバーがインフレータから遠い方の内室側に押し出され、インフレータから近い方の内室からインフレータから遠い方の内室への通気がなされる状態で接合されている請求項１記載のエアバッグ。
【発明の詳細な説明】
【技術分野】
【０００１】
本発明は、車両に装備され、車両の衝突事故時、瞬時に膨出して乗員を保護するエアバッグに関し、さらに詳しくは、乗員とエアバッグとの干渉の程度に応じて展開状態が変化するエアバッグに関する。
【背景技術】
【０００２】
近年、車両が衝突したときの衝撃から乗員を保護する乗員保護用の安全装置として、エアバッグ装置が普及している。エアバッグ装置は、衝突時に、乗員と内装構造物との間の空間に瞬時に膨出し、乗員が直接、インパネやサイドドア、ハンドルなどに衝突する際の衝撃を吸収する機能をもつものである。そのため、エアバッグ装置としては、車両の衝突などの衝撃を受けたときの急激な減速を検知するセンサ、センサからの信号を受けて膨出用の高圧ガスを発生するインフレータ、インフレータからの膨出用の高圧ガスにより、膨出展開して乗員の衝撃を緩和するエアバッグ袋体、および、エアバッグシステムが正常に機能しているか否かを判断する診断回路を、通常備えている。
【０００３】
一般的に、エアバッグ装置では、展開させるエアバッグ袋体（以下、単にエアバッグまたはバッグと称する）の大きさや形状が一定である。しかし、エアバッグ展開時の状況・状態は様々であり、一定のエアバッグで一様に乗員を拘束することが難しいことがわかってきた。たとえば、乗員が勢いよく早い段階でエアバッグと接触する「高速衝突」とエアバッグが展開してから乗員が接触するまでにタイムラグが生じる「低速衝突」というタイミングの違い、乗員の体格の違い、または、乗員の着座位置の違いなどによって、エアバッグによる拘束力に違いが生じるのである。そのため、近年においては、どのような状況・状態であっても、乗員を拘束する能力を発揮できるエアバッグが求められている。
【０００４】
特許文献１には、メインバッグの内部に逆止弁を有するサブバッグを設け、乗員とサブバッグとの干渉の度合に応じて膨張し排気孔を縮径することで、エアバッグの硬さを調整する方法が開示されている。しかし、逆止弁を使用しているためメインバッグへの逆流が不可能であること、さらには、サブバッグ自体には排気孔がないことから、サブバッグ内圧力が高い時に乗員が衝突した場合の乗員への加害性が大きいという問題がある。
【０００５】
また、特許文献２には、エアバッグ内が仕切り壁によって２室に分けられ、仕切り壁に薄膜の調圧弁を設けることが記載されている。インフレータ側の１室の内圧が所定の圧力に達すると、前記薄膜が開裂し、２室目にガスが流入する。そのため、展開初期においては１室目の圧力を保持することができ、すばやく１室目を展開完了させることができる。また、１室目に乗員が衝突するような場合においても、衝突による内圧上昇を緩和するために薄膜が開裂し、乗員への加害性（障害値)が小さくなる。
【０００６】
しかし、この方法では、前記薄膜が一旦開裂してしまうと、以降、１室目の内圧を高くすることはできない。そのため、高速衝突時には１室目の内圧が高い状態で乗員を拘束出来るが、低速衝突時には1室目が、薄膜が開裂してしまった後の内圧が低い状態である可能性があり、乗員拘束性が低下するという問題がある。さらに、２室目に乗員が拘束された際には、２室目から１室目への制限のない排気によって２室目が押し潰され、乗員拘束性が低下してしまう。
【０００７】
この排気口の弁（以下、ベントホールカバーと称する）については、さまざまな形状や仕組みのものが開示されている。たとえば、特許文献３には、ベントホールにコイルバネを有したアクティブベントが付いており、エアバッグ内圧がこのコイルバネの付勢力を上回った場合、アクティブベントからガスが排気されることが記載されている。しかし、この方法には複雑な部材が必要で、重量や収納容量が大きくなるため、ベントホール位置に制限が生じ、バッグ内の仕切り壁には適用することが難しい。さらには、これ自体の乗員への加害性という問題がある。
【０００８】
また、特許文献４には、ベントホールカバーをスポット溶着などで取り付け、展開作動時における所定のエアバッグ内圧の作用によって前記弁体が開弁することが記載されている。しかし、ベントホールカバーをスポット溶着するには、接合強度の点からある程度の接合面積が必要であり、ベントホールの開口面積が制限されてしまうという問題がある。
【先行技術文献】
【特許文献】
【０００９】
【特許文献１】特許第２９４６７７１号公報
【特許文献２】特開２００７−１３６２号公報
【特許文献３】特開２００７−１９６７００号公報
【特許文献４】特開平１０−７６９０５号公報
【発明の概要】
【発明が解決しようとする課題】
【００１０】
本発明は、上記課題を解決するものであり、複数の内室を有するエアバッグの仕切り壁に設けられたベントホールに、非常に簡単な方法でベントホールカバーを取り付けることにより、シンプルな構成でありながら、どのような状況下であっても乗員拘束性を発揮することのできるエアバッグを提供することを目的とする。
【課題を解決するための手段】
【００１１】
すなわち、本発明は、複数の内室に仕切るための仕切り壁にベントホールが設けられたエアバッグであって、インフレータから遠い方の壁側に、インフレータから遠い方の内室が所定の内圧を超える場合にインフレータから遠い方の内室からインフレータに近い方の内室への通気が仕切り壁との隙間からなされる状態で、該ベントホール周囲に縫製糸により接合された該ベントホールを覆うベントホールカバーを有しているエアバッグに関する。
【００１２】
該ベントホールカバーは、インフレータから近い方の内室が所定の内圧を超える場合には該ベントホールカバーがインフレータから遠い方の内室側に押し出され、インフレータから近い方の内室からインフレータから遠い方の内室への通気がなされる状態で接合されていると好ましい。
【発明の効果】
【００１３】
本発明によれば、シンプルな構成でありながら、どのような状況下であっても乗員拘束性を発揮できるエアバッグを提供することができる。
【図面の簡単な説明】
【００１４】
【図１】本発明のエアバッグの一例を示した概略図である。
【図２】本発明で使用するベントホールカバーの一例を示した概略平面図である。
【図３】本発明のエアバッグにおける内室２Ａから内室２Ｂへの通気の様子を示した説明図である。
【図４】本発明のエアバッグにおける内室２Ｂから内室２Ａへの通気の様子を示した説明図である。
【図５】本発明で使用するベントホールカバーの他の縫製方法を示した概略平面図である。
【図６】本発明で使用するベントホールカバーの他の縫製方法を示した概略平面図である。
【発明を実施するための形態】
【００１５】
本発明のエアバッグは、複数の内室に仕切るための仕切り壁にベントホールが設けられており、インフレータから遠い方の壁側に、所定の内圧を超える場合にインフレータから遠い方の内室からインフレータに近い方の内室への通気がなされる状態で、縫製糸により接合された該ベントホールを覆うベントホールカバーを有している。
【００１６】
以下、本発明について図面を参照しながら説明する。図１に示すように、本発明のエアバッグ１は、仕切り壁３によってインフレータ６から遠い方の内室２Ｂ(以下、単に内室Ｂと称す)とインフレータ６に近い方の内室２Ａ(以下、単に内室Ａと称す)とに仕切られている。なお、図１では内室が２つである場合を示しているが、これに限定されず、３室以上に仕切っていてもよい。この仕切り壁３にはベントホール４が形成されており、ベントホール４にはこれを覆うようにベントホールカバー５が取り付けられている。内室２Ｂには、外部への排気を行うベントホール７が形成されている。
【００１７】
前記ベントホールカバー５は、図２（ａ）に示すように、ベントホール４全体を覆うものであり、その周囲に縫製糸８により取り付けられている。また、図２（ｂ）に示すように、このベントホールカバー５は、インフレータから遠い方の壁側（換言すれば、内室２Ｂ側の仕切り壁）に取り付けられている。そのため、インフレータから発生したガスにより内室２Ａが所定の位置まで展開し、内室２Ａが所定の内圧となるまではベントホール４からの排気がなく、すばやい展開が可能となるが（図３（ａ））、所定の内圧を超えると、ベントホールカバー５が内室２Ｂ側に押し出され、内室２Ｂの展開が開始することになる（図３（ｂ））。
【００１８】
本発明においては、前記ベントホールカバー５が、内室２Ａから内室２Ｂへの通気はもちろんのこと、内室２Ｂから内室２Ａへの通気が可能な状態で、仕切り壁３に接合されていることが特徴である。
【００１９】
前記の通り、ベントホールカバー５は、内室２Ｂ側の仕切り壁に取り付けられているため、２Ｂの内圧が所定値に満たない場合は内室２Ｂから内室２Ａへの通気はほとんど行われない（図４（ａ））。しかし、内室２Ｂの外部への排気を行うベントホール７を塞ぐように乗員が衝突した場合など、内室２Ｂの内圧が所定値以上に達すると、ベントホールカバー５が仕切り壁３から浮き上がるような状態になり（図４（ｂ））、今度は逆に内室２Ｂから内室２Ａへの通気がなされ、乗員を柔らかく受け止めることができるのである。さらに、内室２Ａへの通気により内室２Ｂの内圧が所定値以下となると、再び仕切り壁３とベントホールカバー５との間の隙間はなくなり（図４（ａ））、その内圧およびバッグの形状を保持する。
【００２０】
前記ベントホールカバー５は、たとえば図２（ａ）および図５のように、ベントホール４の周囲に千鳥縫いなどと呼ばれる縫い方により接合することができる。なお、図２（ａ）では、頂点位置が４５°間隔になるようにして、１０．６ｍｍ／針にて千鳥縫いしており、図５では、頂点位置が２２．５°間隔になるようにして、９．４ｍｍ／針にて千鳥縫いしている。縫製の間隔を調整したり、ベントホール４とベントホールカバー５の径の差を調整したりすることで、ベントホール４を介した通気量（ひいていは、内室２Ａおよび２Ｂの所定内圧）を変えることができる。たとえば、縫製の間隔を小さくする、あるいは、ベントホール４に対してベントホールカバー５の径を十分に大きくすると、内室２Ａから２Ｂへの通気量は減少する傾向にある。
【００２１】
縫製にかかわる部分のベントホールカバー５とベントホール４の周囲のパネルとの重なり幅は、２〜１００ｍｍであることが好ましい。２ｍｍより小さいと、ベントホールを覆う面積が小さくなり、低い内圧でも通気が生じ、内室２Ａの内圧保持ができなくなる傾向にあり、１００ｍｍをこえても、内圧保持の効果は変わらず、逆に内圧が高くなりすぎて乗員を正常に拘束できなくなる傾向にある。
【００２２】
また、図６（ａ）、（ｂ）および（ｃ）のように縫合することもできる。このように、ベントホールカバー５を縫製糸により接合したことで、その通気量の設定や変更も簡単に行うことができ、また、接合面積も多くを必要としない。
【００２３】
前記ベントホールカバー５に使用される基布はとくに限定されず、後述するバッグ本体と同じものを使用してもよいし、伸縮性のある基布など他の材質のものを使用してもよい。なかでも、歩留まりの点で、バッグ本体と同じ基布を使用することが好ましい。
【００２４】
また、ベントホールカバー５を縫合する際に使用される縫製糸もとくに限定されず、後述するバッグ本体の縫合に使用される縫製糸を使用してもよいし、伸縮性のある糸を使用してもよい。なかでも、歩留まりの点で、バッグ本体に使用するものと同じ縫製糸を使用することが好ましい。
【００２５】
内室２Ａから内室２Ｂへの通気およびその逆方向への通気のためには、ベントホールカバー５が仕切り壁３から浮き上がり、隙間が生じることが必要である。そのためには、ベントホールカバー５自体に伸縮性の基布を用いること、または、縫製糸に伸縮性糸を用いることは有効である。しかし、これらを用いなくても、縫製糸のテンションを調整して縫製糸に余裕を与えることで、ベントホールカバー５と仕切り壁３との隙間を生じさせることが可能である。これは、縫製糸による接合のもう１つのメリットである。
【００２６】
このように、本発明のエアバッグは、縫合という非常に簡単な方法であって、通常エアバッグの作製に用いられる方法によりベントホールカバーが取り付けられているため、工程を煩雑にすることなく製造することができる。また、ベントホールカバーが縫製糸により接合されているというシンプルな構成でありながら、通気量の調整も簡単に行え、乗員拘束性を向上させることができる。
【００２７】
また、図１において、外部への排気を行うベントホール７を記載したが、排気の方式についてはとくに限定するものではなく、排気孔型、基布排気型、部分的な基布排気型またはこれらの併用型など、いずれでもよい。
【００２８】
本発明のエアバッグのパネルに使用される基布には、インフレータの性能やバッグ容量、使用部位などによって、ゴムや樹脂などを積層塗布して不通気性加工を施したものを使用してもよい。
【００２９】
前記基布としては繊維布帛が用いられる。ここで繊維布帛とは、繊維糸条を用いて製織される織物、繊維糸条を用いて製編される編物および不織布を意味する。
【００３０】
繊維布帛を構成する繊維は、天然繊維、化学繊維、無機繊維など、とくに限定するものではない。たとえば、ナイロン６、ナイロン６６、ナイロン４６、ナイロン６１０、ナイロン６１２などの単独またはこれらの共重合、混合により得られる脂肪族ポリアミド繊維、ナイロン６Ｔ、ナイロン６Ｉ、ナイロン９Ｔに代表される脂肪族アミンと芳香族カルボン酸の共重合ポリアミド繊維、ポリエチレンテレフタレート、ポリトリメチレンテレフタレート、ポリブチレンテレフタレート、ポリエチレンナフタレートなどの単独またはこれらの共重合、混合によって得られるポリエステル繊維、超高分子量ポリオレフィン系繊維、ビニリデン、ポリ塩化ビニルなどの含塩素系繊維、ポリテトラフルオロエチレンを含む含フッ素系繊維、ポリアセタール系繊維、ポリサルフォン系繊維、ポリフェニレンサルファイド系繊維（ＰＰＳ）、ポリエーテルエーテルケトン系繊維（ＰＥＥＫ）、全芳香族ポリアミド系繊維、全芳香族ポリエステル系繊維、ポリイミド系繊維、ポリエーテルイミド系繊維、ポリパラフェニレンベンズビスオキサゾール系繊維（ＰＢＯ）、ビニロン系繊維、アクリル系繊維、セルロース系繊維、炭化珪素系繊維、アルミナ系繊維、ガラス系繊維、カーボン系繊維、スチール系繊維などから適宜、１種または２種以上を選定すればよい。なかでも、汎用性があり、基布の製造工程、基布物性などの点から、合成繊維フィラメントが好ましい。とくには、物理特性、耐久性、耐熱性などの点からナイロン６６繊維が好ましい。また、リサイクルの観点からは、ポリエステル系繊維、ナイロン６繊維も好ましい。
【００３１】
これら繊維には、紡糸性や、加工性、耐久性などを改善するために通常使用されている各種の添加剤、たとえば、耐熱安定剤、酸化防止剤、耐光安定剤、老化防止剤、潤滑剤、平滑剤、顔料、撥水剤、撥油剤、酸化チタンなどの隠蔽剤、光沢付与剤、難燃剤、可塑剤などの１種または２種以上を使用してもよい。また、カラミ織を製織する上で望ましい場合には、加撚、嵩高加工、捲縮加工、捲回加工、糊付け加工などの加工を施してもよい。さらに、糸条の形態は、長繊維フィラメント以外に、短繊維の紡績糸、これらの複合糸などを用いてもよい。
【００３２】
たとえば、前記繊維布帛が織物の場合は、平織、斜子織（バスケット織）、格子織（リップストップ織）、綾織、畝織、絡み織、模紗織、あるいはこれらの複合組織などいずれでもよい。必要に応じて、経糸、緯糸の二軸以外に、斜め６０度を含む多軸設計としてもよく、その場合の糸の配列は、経糸または緯糸と同じ配列に準じればよい。なかでも構造の緻密さ、物理特性や性能の均等性が確保できる点で、平織が好ましい。
【００３３】
織物の製造は、通常の工業用織物を製織するのに用いられる各種織機から適宜選定すればよく、たとえば、シャトル織機、ウォータージェット織機、エアージェット織機、レピア織機、プロジェクタイル織機、ジャカード織機などから選定すればよい。
【００３４】
前記繊維布帛が編物の場合は、シングルトリコット編、シングルコード編、シングルアトラス編などのたて編や、平編、ゴム編、パール編などのよこ編、などの編組織を単独またはそれらを組み合わせた二重組織などからなるものがあげられる。また、前記繊維布帛が不織布の場合は、ケミカルボンド、サーマルボンド、ニードルパンチ、スパンレース、ステッチボンド、スパンボンド、メルトブロー、湿式などにより製造されるものがあげられる。
【００３５】
前記基布を構成する糸の単糸太さは、同じでも異なってもいずれでもよく、たとえば、０．５〜８ｄｔｅｘの範囲であることが好ましい。また、単糸の強度も、５．４ｃＮ／ｄｔｅｘ以上であることが好ましく、８ｃＮ／ｄｔｅｘ以上であることがより好ましい。また、これら繊維の単糸の断面形状も、円形、楕円、扁平、多角形、中空、その他の異型など、布帛の製造、得られた布帛の物性に支障のない範囲で適宜選定すればよい。また、太さや断面形状などが異なる複数の糸を、合糸、撚り合わせなどにより一体化したものを用いてもよい。
【００３６】
前記繊維の総繊度は、１５０〜１０００ｄｔｅｘであることが好ましく、２３５〜７００ｄｔｅｘであることがより好ましい。１５０ｄｔｅｘ未満ではエアバッグに求められる強度が得られにくい傾向にあり、１０００ｄｔｅｘより大きくなると、重量が大きくなりすぎると同時に、基布の厚みが増大しバッグの収納性が悪くなるおそれがある。
【００３７】
前記基布は、目付けが１９０ｇ／ｍ２以下、引張強力が６００Ｎ／ｃｍ以上であることが好ましい。目付けと引張強力がこの範囲であれば、軽くて物理特性に優れているといえる。なお、ここでいう目付けは、後述する不通気処理剤を塗布する前の未加工の状態の基布重量をいう。
【００３８】
前記基布が織物である場合のカバーファクターは、１５００〜２５００であることが好ましい。カバーファクターが１５００より小さいと、織物の開口部が大きくなるためバッグの気密性を得ることが困難となり、またカバーファクターが２５００より大きいと、織物の厚みが増大し、バッグの収納性が悪くなるおそれがある。ここで、カバーファクターとは基布のタテ糸総繊度をＤ1（ｄｔｅｘ）、タテ糸密度をＮ1（本／２．５４ｃｍ）とし、ヨコ糸総繊度をＤ2（ｄｔｅｘ）、ヨコ糸密度をＮ2（本／２．５４ｃｍ）とすると（Ｄ1×０．９）１／２×Ｎ１＋（Ｄ２×０．９）１／２×Ｎ2で表される。
【００３９】
また、前記基布は精練および熱処理を施されたものであってもよい。
【００４０】
前記したように、基布は、耐熱性の向上および通気度の低下を目的として、樹脂層を有していてもよい。また、その目的から、前記樹脂層は、少なくとも基布の片面全面に付着しているが、基布表面、基布を構成する糸束の間隙部、または、繊維単糸の間隙部など、いずれに介在していてもよい。耐熱性、および、基布に外力が加わっても被膜の損傷が抑えられるという理由により、樹脂層を有する面同士を接合して、被覆面が内側になるようにエアバッグを作製することが好ましい。
【００４１】
前記樹脂としては、たとえば、クロロプレンゴム、ハイバロンゴム、フッ素ゴムなどの含ハロゲンゴム、シリコーンゴム、エチレンプロピレンゴム、エチレンプロピレン三元共重合ゴム、ニトリルブタジエンゴム、スチレンブタジエンゴム、イソブチレンイソプレンゴム、ウレタンゴムおよびアクリルゴムなどのゴム類、および、塩化ビニル樹脂、塩化ビニリデン樹脂、塩素化ポリオレフィン樹脂およびフッ素樹脂などの含ハロゲン樹脂、ウレタン樹脂、アクリル樹脂、エステル樹脂、アミド樹脂、オレフィン樹脂およびシリコーン樹脂などの樹脂類があげられ、これらは単独または併用して使用される。なかでも、可撓性、耐熱性および耐候性に優れる点で、シリコーンゴムおよびシリコーン樹脂が好ましい。
【００４２】
被覆方法としては、１）コーティング法（ナイフ、キス、リバース、コンマ、スロットダイおよびリップなど）、２）浸漬法、３）印捺法（スクリーン、ロール、ロータリーおよびグラビアなど）、４）転写法（トランスファー）、５）ラミネート法、および６）スプレーなどにて噴霧する方法などがあげられる。なかでも、設定できる付与量の幅が大きい点で、コーティング法が好ましい。
【００４３】
また、塗布量としては、５〜６０ｇ／ｍ２が好ましい。塗布量が５ｇ／ｍ２より少ないと、基布の通気性が高くなるため、バッグの気密性に問題が発生するおそれがあり、また塗布量が６０ｇ／ｍ２より多いと、基布の厚みが厚くなってバッグの収納性に問題が発生するおそれがある。
【００４４】
また、各乗員側布とインフレータ側布との結合、あるいは補強布の結合は、縫製、接着、溶着、製織、製編あるいはこれらの併用など、いずれの方法によってもよく、エアバッグとしての堅牢性、展開時の耐衝撃性、乗員の耐衝撃性能などを満足するものであればよい。
【００４５】
縫製は、本縫い、二重環縫い、片伏せ縫い、かがり縫い、安全縫い、千鳥縫い、扁平縫いなどの通常のエアバッグに適用されている縫い目により行えばよい。また、縫い糸の太さは、２３５ｄｔｅｘ（５０番手相当）〜２８００ｄｔｅｘ（０番手相当）、運針数は０．０９〜１０針／ｃｍとすればよい。複数列の縫い目線が必要な場合は、縫い目線間の距離は２．２ｍｍ〜８ｍｍ程度として、多針型ミシンを用いればよいが、縫製部距離が長くない場合には、１本針ミシンで複数回縫合してもよい。
【００４６】
さらに、必要に応じて、外周縫製部などの縫い目からのガス抜けを防ぐために、シール材、接着剤または粘着材などを、縫い目の上部および／または下部、縫い目の間、縫い代部などに塗布、散布または積層してもよい。
【００４７】
縫合に使用する縫い糸は、一般に化合繊縫い糸と呼ばれるものや工業用縫い糸として使用されているものの中から適宜選定すればよい。たとえば、ナイロン６、ナイロン６６、ナイロン４６、ポリエステル、高分子ポリオレフィン、含フッ素、ビニロン、アラミド、カーボン、ガラス、スチールなどがあり、紡績糸、フィラメント合撚糸またはフィラメント樹脂加工糸のいずれでもよい。
【００４８】
また、前記の通り、使用するインフレータの特性に応じて、インフレータ取付口周囲に熱ガスから保護するための耐熱保護布や力学的な補強布を設けてもよい。これらの保護布や補強布は、布自体が耐熱性の材料、たとえば、全芳香族ポリアミド繊維、全芳香族ポリエステル繊維、ＰＢＯ繊維、ポリイミド繊維、含フッ素系繊維などの耐熱性繊維材料を用いてもよいし、エアバッグ本体と同じか本体用基布より太い糸を用いて別途作成した織物を用いてもよい。また、織物に耐熱性被覆材を施したものを用いてもよい。
【００４９】
以上、これまで図面を参照して本発明を説明してきたが、本発明の実施形態はこれのみを指すものではなく、要旨を逸脱しない範囲での変更、改良は当然可能である。また、このような形状のエアバッグは主に助手席用として使用されるが、本発明はこれに限定されるものではなく、運転席用や側面衝突用、後部座席用など他のエアバッグにも適用が可能である。
【符号の説明】
【００５０】
１    エアバッグ
２Ａ    インフレータ６に近い方の内室
２Ｂ    インフレータ６から遠い方の内室
３    仕切り壁
４    ベントホール
５    ベントホールカバー
６    インフレータ
７    外部への排気を行うベントホール
８    縫製糸
【図１】
0005921846.tif 000002
【図２】
0005921846.tif 000003
【図３】
0005921846.tif 000004
【図４】
0005921846.tif 000005
【図５】
0005921846.tif 000006
【図６】
0005921846.tif 000007